(57)【要約】【課題】撮影目的に応じた色再現範囲の設定を可能としつつも、画像表示を行う際には表示デバイスに適した色再現を行うこと。【解決手段】デジタルカメラ１は、画像を表示するためのＬＣＤ１０及びＥＶＦ２０を備えて構成され、操作部２５０によって、撮像センサ３０３から得られる画像の色空間を選択操作することが可能である。画像処理回路ＧＰでは、操作部２５０を介して選択された色空間に適合させて色変換処理が施されて本画像が生成され、メモリカード８に対して本画像を圧縮記録することができるように構成される。これに対して、画像処理回路ＧＰは、ＬＣＤ１０やＥＶＦ２０に表示される画像に対しては、ユーザによって選択された色空間に適合させる色変換処理を行わず、表示デバイスの表示特性に合致した色空間に適合させるような色変換処理を行うように構成される。【選択図】　　　　図４
2004096400.tif 000002
【特許請求の範囲】
【請求項１】
画像を表示するための表示手段を備えた撮像装置であって、
被写体の画像を撮像する撮像手段と、
前記撮像手段によって得られる画像の色空間を選択操作するための操作手段と、
前記操作手段によって選択された色空間に適合させて色変換処理を施す画像処理手段と、
前記画像処理手段において色変換処理が施された画像を記録する記録手段と、を備え、
前記画像処理手段は、前記表示手段に表示される画像に対しては、前記操作手段によって選択された色空間に適合させず、前記表示手段の表示特性に合致した色空間に適合させて色変換処理を施す撮像装置。
【請求項２】
請求項１に記載の撮像装置において、
前記表示手段に表示される画像は、前記撮像手段から得られる画像のサムネイル画像として、前記記録手段に記録される画像であることを特徴とする撮像装置。
【請求項３】
請求項１に記載の撮像装置において、
前記表示手段に表示される画像は、撮影前の確認のためのプレビュー画像であることを特徴とする撮像装置。
【請求項４】
撮像装置を接続可能に構成され、前記撮像装置から得られる画像を表示可能な表示手段を備えた画像記録装置であって、
前記撮像装置から得られる画像の色空間を選択操作するための操作手段と、
前記操作手段によって選択された色空間に適合させて色変換処理を施す画像処理手段と、
前記画像処理手段において色変換処理が施された画像を記録する記録手段と、を備え、
前記画像処理手段は、前記表示手段に表示される画像に対しては、前記操作手段によって選択された色空間に適合させず、前記表示手段の表示特性に合致した色空間に適合させて色変換処理を施す画像記録装置。
【請求項５】
撮像装置を接続可能に構成され、表示手段を備えたコンピュータにおいて実行されることにより、前記コンピュータを、
前記撮像装置から得られる画像の色空間を選択操作するための操作手段、
前記操作手段によって選択された色空間に適合させて色変換処理を施す画像処理手段、及び
前記画像処理手段において色変換処理が施された画像を記録する記録手段、
として機能させ、
前記表示手段に表示される画像に対しては、前記操作手段によって選択された色空間に適合させず、前記表示手段の表示特性に合致した色空間に適合させて色変換処理を施すように、前記画像処理手段を機能させることを特徴とするプログラム。
【発明の詳細な説明】
【０００１】
【発明の属する技術分野】
本発明は、デジタルカメラ等の撮像装置、画像記録装置及びプログラムに関し、特に画像の色再現技術に関するものである。
【０００２】
【従来の技術】
図１０に一般的なｘｙ色度図を示す。図１０において領域Ｒ１は可視領域であり、領域Ｒ２は国際色再現規格であるｓＲＧＢ色空間である。
【０００３】
デジタルカメラ等の撮像装置で撮影される画像は、パーソナルコンピュータ等の外部機器に取り込まれ、外部機器のＣＲＴモニタ等で再生表示されることが多い。このため従来は、撮像装置において撮影画像を記録する際、色再現範囲を、例えばｓＲＧＢ色空間に適合させて記録していた（図１０の領域Ｒ２）。これにより、多くの機器のＣＲＴモニタ等と間でカラーマッチングを図ることが可能であった。
【０００４】
ところが、インクジェットプリンタ等の一部の画像再生装置においては、図１０の領域Ｒ３で示されるように、色再現範囲がｓＲＧＢ色空間を越えるものが存在する。このため、撮像装置による画像撮影の目的が、専らそのような画像再生装置での画像再生にあるとすれば、色再現範囲の狭いｓＲＧＢ色空間に適合させて画像記録を行うのは好ましいことではない。なぜなら、本来再現できる色を、ｓＲＧＢ色空間という狭い色空間に適合させてしまうため、図１０に示す斜線領域の色成分が再現できなくなるからである。
【０００５】
特に近年では、パーソナルコンピュータを介することなく、デジタルカメラから直接的にプリンタへ画像出力することが可能になっており、このような場合には外部機器のＣＲＴモニタの色再現特性は全く無関係となる。
【０００６】
したがって、上記のような場合には、撮像装置において、例えばＡｄｏｂｅＲＧＢ色空間（図１０の領域Ｒ４）のように、一般的なｓＲＧＢ色空間よりも色再現範囲の広い色空間に適合させて画像記録を行うことが望まれる。このような撮像装置は製品化されつつあり、例えば図１１に示すような設定メニュー画面に基づいてユーザが設定操作を行うことにより、撮影によって得られる画像の使用目的に応じて所望の色空間を選択設定し、撮像装置内部の色変換処理では、ユーザによって選択された色空間に応じて色変換処理のパラメータを変更し、画像の色変換を行って画像記録を行うように構成されている。
【０００７】
一方、撮像装置において、画像を記録する際には、撮影によって得られる記録用の本画像とともに、サムネイル画像も併せて記録するものがある。サムネイル画像は、撮像装置に設けられるビューファインダ等の表示デバイスに対して専ら画像表示を行うための画像として用いられる。このような表示デバイスにおいて表示可能な色空間は一般にｓＲＧＢ色空間に近い場合が多い。
【０００８】
【発明が解決しようとする課題】
ところが、従来の撮像装置では、サムネイル画像は、本画像に対して色変換処理が施された画像をそのまま縮小化することによって作成されていたため、撮影目的に応じて色空間の設定を変更した場合、サムネイル画像の色空間も本画像に対応して変更されていた。
【０００９】
また、ビューファインダ等の表示デバイスにおいてライブビュー表示やアフタービュー表示を行う場合、ライブビュー画像やアフタービュー画像は、設定された色変換処理によって得られる画像がそのまま縮小されて表示されていたため、撮影目的に応じて色空間の設定を変更した場合、ライブビュー画像やアフタービュー画像の色空間も本画像に対応して変更されていた。
【００１０】
つまり、従来の撮像装置は、撮像装置に設けられる表示デバイスで専ら画像表示を行うために生成される画像（サムネイル画像、ライブビュー画像及びアフタービュー画像等）であっても、表示デバイスに最適な色再現を行うことができない場合が発生し、色空間の設定によっては被写体が実際とは異なった色味で表示されてしまうという問題があった。
【００１１】
そこで本発明は、上記課題に鑑みてなされたものであって、撮影目的に応じた色再現範囲の設定を可能としつつも、画像表示を行う際には表示デバイスに適した色再現が行われるような色再現技術を提供することを目的とする。
【００１２】
【課題を解決するための手段】
上記の課題を解決するため、請求項１に記載の発明は、画像を表示するための表示手段を備えた撮像装置であって、被写体の画像を撮像する撮像手段と、前記撮像手段によって得られる画像の色空間を選択操作するための操作手段と、前記操作手段によって選択された色空間に適合させて色変換処理を施す画像処理手段と、前記画像処理手段において色変換処理が施された画像を記録する記録手段と、を備え、前記画像処理手段は、前記表示手段に表示される画像に対しては、前記操作手段によって選択された色空間に適合させず、前記表示手段の表示特性に合致した色空間に適合させて色変換処理を施すように構成される。
【００１３】
請求項２に記載の発明は、請求項１に記載の撮像装置において、前記表示手段に表示される画像が、前記撮像手段から得られる画像のサムネイル画像として、前記記録手段に記録される画像であることを特徴としている。
【００１４】
請求項３に記載の発明は、請求項１に記載の撮像装置において、前記表示手段に表示される画像が、撮影前の確認のためのプレビュー画像であることを特徴としている。
【００１５】
請求項４に記載の発明は、撮像装置を接続可能に構成され、前記撮像装置から得られる画像を表示可能な表示手段を備えた画像記録装置であって、前記撮像装置から得られる画像の色空間を選択操作するための操作手段と、前記操作手段によって選択された色空間に適合させて色変換処理を施す画像処理手段と、前記画像処理手段において色変換処理が施された画像を記録する記録手段と、を備え、前記画像処理手段は、前記表示手段に表示される画像に対しては、前記操作手段によって選択された色空間に適合させず、前記表示手段の表示特性に合致した色空間に適合させて色変換処理を施すように構成される。
【００１６】
請求項５に記載の発明は、プログラムであって、当該プログラムが、撮像装置を接続可能に構成され、表示手段を備えたコンピュータにおいて実行されることにより、前記コンピュータを、前記撮像装置から得られる画像の色空間を選択操作するための操作手段、前記操作手段によって選択された色空間に適合させて色変換処理を施す画像処理手段、及び前記画像処理手段において色変換処理が施された画像を記録する記録手段、として機能させ、前記表示手段に表示される画像に対しては、前記操作手段によって選択された色空間に適合させず、前記表示手段の表示特性に合致した色空間に適合させて色変換処理を施すように、前記画像処理手段を機能させるものである。
【００１７】
【発明の実施の形態】
本発明の実施の形態について、図面を参照しつつ詳細に説明する。なお、以下においては、撮像装置として、デジタルカメラを例に挙げて説明する。
【００１８】
＜１．第１の実施の形態＞
＜１−１．デジタルカメラの要部構成＞
図１、図２および図３は、本発明の実施の形態にかかるデジタルカメラ１の要部構成を示す図であり、図１は正面図、図２は上面図、図３は背面図に相当する。これらの図は必ずしも三角図法に則っているものではなく、デジタルカメラ１の要部構成を概念的に例示することを主眼としている。
【００１９】
図２に示すように、デジタルカメラ１は、撮影レンズであるマクロ機能付きレンズ群（以下、単に「レンズ」とも称する）３０を含む撮像部３を備えている。また、デジタルカメラ１は、ズーム機能を有しており、ズームリング３３を回転させることなどにより、撮影倍率の変更を行うことができる。さらに、デジタルカメラ１は、マクロ切替えレバー３４を備えており、マクロ撮影と通常撮影とを切り換えることができる。また、デジタルカメラ１の上面にはシャッターボタン９が設けられている。
【００２０】
また、デジタルカメラ１の上面には、「撮影モード」と「再生モード」と「設定モード」と「通信モード」とを切替設定するモード切替えダイアル１４が設けられている。
【００２１】
撮影モードは、写真撮影を行うモードであり、再生モードは、メモリカード８に記録された撮影画像データを背面ＬＣＤ１０やＥＶＦ２０などの表示デバイスに再生表示するモードである。
【００２２】
また、設定モードは、図１１に示すような設定メニュー画面を背面ＬＣＤ１０等に表示し、ユーザがその設定メニュー画面に基づいて複数の色空間のうちから、撮影目的に応じた一の色空間を選択設定する等、デジタルカメラ１の各種機能設定を行うためのモードである。このため、デジタルカメラ１は、撮影目的に応じて、メモリカード８に記録する画像の色再現範囲を、ユーザが選択設定することができるように構成されている。
【００２３】
さらに、通信モードは、デジタルカメラ１の側面に設けられるＵＳＢ端子２２６を介して、外部のパーソナルコンピュータなどにデータ転送するモードである。デジタルカメラ１の上面には、データパネル３６がさらに設けられており、このデータパネル３６において各種モードの設定状態等が表示される。
【００２４】
図３に示すように、デジタルカメラ１の背面左方には、本撮影前に被写体を動画的態様で表示するライブビュー表示、本撮影後に撮影した画像を確認のために表示するアフタービュー表示および記録画像の再生表示等を行なうための表示デバイスとして、液晶ディスプレイ（背面ＬＣＤ）１０と電子ビューファインダ（ＥＶＦ）２０とが設けられている。この背面ＬＣＤ１０およびＥＶＦ２０では、それぞれ表示サイズが６４０×４８０となっており、カラーで画像表示が行われる。
【００２５】
デジタルカメラ１の背面右方には、カーソルボタン（十字キー）Ｕ、Ｄ、Ｌ、Ｒ、および実行ボタン３２を含むコントロールボタン３５が設けられており、このコントロールボタン３５を用いて各種操作が行われる。また、デジタルカメラ１の背面には、メニューボタン３７が設けられている。このメニューボタン３７が押下されることにより、各種のメニューが背面ＬＣＤ１０に表示される。
【００２６】
また、デジタルカメラ１の背面には、ディスプレイ切替レバー３１が設けられている。ディスプレイ切替レバー３１を操作することによって、背面ＬＣＤ１０、またはＥＶＦ２０に画像表示が行われる。
【００２７】
デジタルカメラ１の側面には、画像等のデータやプログラム等を記録する記録手段として働くメモリカード８を装着できるメモリスロット８１が設けられている。
【００２８】
＜１−２．デジタルカメラ１の機能ブロック＞
図４は、デジタルカメラ１の機能ブロックを示す図である。以下では、デジタルカメラ１の機能ブロックを、信号の流れに沿って説明する。
【００２９】
デジタルカメラ１は、レンズ群３０の後方に撮像センサ（ＣＣＤ）３０３が設けられている。この撮像センサ３０３は、被写体に係る画像データを取得する撮像手段として機能し、ＲＧＢの原色透過フィルタがピクセル単位に市松状に配置されたエリアセンサで、全画素読み出しタイプである。
【００３０】
撮像センサ３０３で光電変換された画像信号は、Ａ／Ｄ変換器２０５でＡ／Ｄ変換された後に、ＷＢ乗算器２０６によりホワイトバランス補正が行われる。そして、インターポーレション回路２０７にてＲＧＢの画素補間を行うことによりＲＧＢの３チャンネルデータが生成される。
【００３１】
インターポーレション回路２０７で生成されたＲＧＢの画像データは、カラーマッチング補正に専用のハードウェア回路である画像処理回路ＧＰ（色変換マトリクス回路２０８、γ補正回路２１０および色変換回路２１２）によって、再生デバイスの再生特性に応じた可変のカラーマッチング処理が行われる。以下で、その詳細を説明する。
【００３２】
色変換マトリクス回路２０８は、インターポーレション回路２０７で生成されたＲＧＢデータに対して、３×３リニアマトリクス２０９によって撮像センサ３０３の色変換マトリクス演算を行う。色変換マトリクス演算が施された後、γ補正回路２１０で、γ補正情報に相当するγテーブル２１１により、ＲＧＢの各チャンネルとも再生デバイス等に合わせた階調補正が行われる。
【００３３】
画像処理回路ＧＰによって、カラー画像データの色空間は、ユーザの設定に従って、ｓＲＧＢ色空間ないしはＡｄｏｂｅＲＧＢ色空間に変換される。なお、ｓＲＧＢ色空間およびＡｄｏｂｅＲＧＢ色空間は、それぞれ図１０に示される領域Ｒ２、Ｒ４に相当し、ｓＲＧＢ色空間はＡｄｏｂｅＲＧＢ色空間よりも色再現範囲が狭くなっている。
【００３４】
そして、γ補正後、色変換回路２１２において、色差マトリクス２１３により、ＲＧＢからＹ・Ｃｒ・Ｃｂチャンネルヘの変換を行い、輝度信号Ｙと色差信号Ｃｒ、Ｃｂに分離する。
【００３５】
輝度信号Ｙについては、Ｙエンハンサー回路２１４において、周波数帯域分離される。そして輝度信号Ｙの高域側に対しては、信号レベルの調整と、ベースクリップ処理によって輪郭補正およびノイズ抑制が行われた後、高域側輝度信号と低域側輝度信号とが加算され、リサイザー回路２１９に入力される。
【００３６】
Ｙ、Ｃｒ、Ｃｂ信号はリサイザー回路２１９で、デジタルカメラ１における内部状態（動作状態）に応じて、各チャンネルの解像度変換処理（縮小処理）が適宜行われる。
【００３７】
表示デバイスの表示サイズ６４０×４８０にリサイズされた画像データは、表示切替部２３５を介して、背面ＬＣＤ１０またはＥＶＦ２０の表示デバイスに表示される。ここでは、ディスプレイ切替レバー３１の設定状態に応じて表示デバイスが指定される。例えば背面ＬＣＤ１０が選択されている場合には、背面ＬＣＤ１０に画像が表示されることとなる。
【００３８】
また、シャッターボタン９によるレリーズ時は、記録用となる撮影画像（本画像）が生成され、その画像データが画像圧縮部２６１によってＪＰＥＧ方式等で圧縮された後、メモリカード８に書き込みが行われる。このメモリカード８の書込み時は、表示デバイスの表示サイズ６４０×４８０にリサイズされた画像データ（サムネイル画像）も併せてＪＰＥＧ方式等で圧縮され、記録される。このサムネイル画像は専ら再生表示に使用される画像である。
【００３９】
操作部２５０は、上述したシャッターボタン９、ディスプレイ切替レバー３１、コントロールボタン３５などの各種ボタン、レバーなどで構成される。ユーザは操作部２５０を介してデジタルカメラ１に対する入力操作を行うことになる。
【００４０】
全体制御部２２１は、上述したカメラの各部を有機的に制御しデジタルカメラ１の動作を統括制御する部位であり、マイクロコンピュータとして働くＣＰＵおよびＲＡＭ２２１ａを有するとともに、ＲＯＭ２２１ｂを有している。
【００４１】
このＲＯＭ２２１ｂは、制御プログラムを格納するとともに、色変換マトリクス回路２０８で使用されるリニアマトリクス２０９と、γ補正回路２１０で使用されるγテーブル２１１と、色変換回路２１２で使用される色差マトリクス２１３とを格納している。具体的には、リニアマトリクス２０９については４種類のマトリクスＭｓ、Ｍａ、Ｍａｓ、Ｍｓｓを保持し、γテーブル２１１についても４種類のγテーブルγｓ、γａ、γａｓ、γｓｓを保持するとともに、色差マトリクス２１３についても４種類のマトリクスＣｓ、Ｃａ、Ｃａｓ、Ｃｓｓを保持している。
【００４２】
なお、これらマトリクスやテーブルは全体制御部２２１のＲＯＭ２２１ｂ内に格納されているものを選択的に使用するのではなく、各ハードウェアブロック内部に保持されていても構わない。
【００４３】
また、これらマトリクスやテーブルは、色空間としてｓＲＧＢ色空間が選択されている場合にはマトリクスＭｓ、γテーブルγｓ、色差マトリクスＣｓが、色空間としてＡｄｏｂｅＲＧＢ色空間が選択されている場合にはマトリクスＭａ、γテーブルγａ、色差マトリクスＣａが、各々使用される。したがって、マトリクスＭｓ、γテーブルγｓおよび色差マトリクスＣｓが画像処理回路ＧＰに適用されて色変換処理が行われると汎用的な色空間であるｓＲＧＢ色空間のカラー画像が生成され、マトリクスＭａ、γテーブルγａおよび色差マトリクスＣａが画像処理回路ＧＰに適用されて色変換処理が行われるとより色再現性の高い色空間であるＡｄｏｂｅＲＧＢ色空間のカラー画像が生成される。
【００４４】
なお、マトリクスＭａｓ、γテーブルγａｓ、色差マトリクスＣａｓと、マトリクスＭｓｓ、γテーブルγｓｓ、色差マトリクスＣｓｓに関しては後述する。
【００４５】
以上の構成を有するデジタルカメラ１について、ライブビュー表示時の動作、画像キャプチャー時の動作、および画像再生時の動作を、以下で説明する。
【００４６】
＜１−３．ライブビュー表示時の動作について＞
レリーズ操作前のライブビュー表示（プレビュー表示）時には、撮像センサ３０３で１／３０秒ごとに撮像された画像データが、１／８間引きして出力され、それに同期して、画像処理回路ＧＰおよびリサイザー回路２１９で処理が実行され、背面ＬＣＤ１０またはＥＶＦ２０に被写体画像が動画状に表示される。
【００４７】
このときには、ユーザの色変換設定の如何にかかわらず、リニアマトリクス２０９＝Ｍｓ、γテーブル２１１＝Ｍｓ、色差マトリクス２１３＝Ｃｓに設定され、撮像センサ３０３で１／３０秒ごとに撮像された画像データはｓＲＧＢ色空間に適合させたカラー画像として生成され、背面ＬＣＤ１０またはＥＶＦ２０に被写体画像が動画状に表示される。
【００４８】
よって、ライブビュー表示時には、表示デバイスの表示特性（色再現範囲）に適合した色変換が行われ、背面ＬＣＤ１０またはＥＶＦ２０において最適な状態で色再現されたカラー画像が表示されることになる。
【００４９】
＜１−４．画像キャプチャー時の動作について＞
レリーズ操作に伴う画像キャプチャー時（本画像撮影時）には、撮像センサ３０３で撮像された画像データは、全画素出力され、画像処理回路ＧＰで処理が実行され、ＲＡＭ２２１ａ内に画像処理回路ＧＰで処理された画像データを一時的に格納したうえで、画像圧縮部２６１で圧縮された画像データが、記録用の本画像データ（撮影画像データ）としてメモリカード８に記録される。
【００５０】
このときには、ユーザの色空間設定に従って、リニアマトリクス２０９、γテーブル２１１、色差マトリクス２１３が上記のように設定され、撮像センサ３０３で撮像された画像データはユーザの色空間設定に適合したカラー画像（本画像）として、ＲＡＭ２２１ａ内に一時的に格納される。
【００５１】
そして、ＲＡＭ２２１ａ内に一時的に格納された画像データは、リサイザー回路２１９に与えられ、リサイザー回路２１９で解像度変換が施される。
【００５２】
ここで、ユーザによる色空間設定がｓＲＧＢ色空間である場合と、ＡｄｏｂｅＲＧＢ色空間である場合とのそれぞれについてデジタルカメラ１における内部処理を説明する。
【００５３】
（１）ユーザの色空間設定がｓＲＧＢ色空間の場合。
【００５４】
画像処理回路ＧＰでユーザによる色空間設定に基づいて処理された画像データがＲＡＭ２２１ａ内に一時的に格納された後に、６４０×４８０に解像度変換された画像データを、図４に示す経路Ｄｉｓｐに沿って出力し、背面ＬＣＤ１０またはＥＶＦ２０に表示する（アフタービュー表示）。
【００５５】
リサイザー回路２１９において６４０×４８０に解像度変換が行われても、画像の色空間は変化しないため、ｓＲＧＢ色空間の画像データが背面ＬＣＤ１０またはＥＶＦ２０に送出されることとなり、ｓＲＧＢ色空間に適合した画像がアフタービューとして表示される。
【００５６】
そしてアフタービュー表示中にユーザが画像の削除を指示した場合のみ、ＲＡＭ２２１ａ内に一時的に格納された本画像データが消去される。このため、本画像データのメモリカード８への記録は行われない。
【００５７】
一方、アフタービュー表示中にユーザが画像の削除指示を行わなかった場合には、アフタービュー表示に使用された画像データ（すなわち、リサイザー回路２１９にて生成される６４０×４８０の解像度を有するｓＲＧＢ色空間の画像データ）は、そのまま画像圧縮部２６１に与えられて、圧縮され、サムネイル画像データとされる。このサムネイル画像データは、本画像データとともに、メモリカード８に記録される。なお、画像圧縮部２６１において画像圧縮が行われても色空間は変化しないので、サムネイル画像はｓＲＧＢ色空間に適合した画像データとなる。
【００５８】
図５はメモリカード８に記録される画像ファイルの概念を示す図であり、ユーザによって削除指示が与えられない限り、画像キャプチャーによって図５に示すような画像ファイル２００が作成されてメモリカード８に記録される。
【００５９】
図５に示すように、画像ファイル２００には、画像キャプチャー時の撮影条件が記述されたタグ情報２０１と、ユーザによる色空間設定に適合した本画像データ２０２と、専ら画像再生のために用いられるサムネイル画像データ２０３とが含まれる。
【００６０】
そしてユーザの色空間設定がｓＲＧＢ色空間である場合には、タグ情報２０１に色空間設定がｓＲＧＢ色空間であることを示す色空間情報が記録される。色空間情報がタグ情報２０１に含まれることにより、例えば画像再生に、本画像データの色空間設定を識別することが可能になる。
【００６１】
（２）ユーザの色空間設定がＡｄｏｂｅＲＧＢ色空間の場合。
【００６２】
画像処理回路ＧＰでユーザによる色空間設定に基づいて処理された画像データがＲＡＭ２２１ａ内に一時的に格納された後に、６４０×４８０に解像度変換された画像データを、図４に示す経路ＦＷに沿って伝達し、再度、色変換マトリクス回路２０８に入力させる。経路ＦＷは、画像処理回路ＧＰの出力を再度入力に導くための、回帰経路である。
【００６３】
そしてこのとき、リニアマトリクス２０９、γテーブル２１１、色差マトリクス２１３のそれぞれは、Ｍａｓ、γａｓ、Ｃａｓにセットされ、ＡｄｏｂｅＲＧＢ色空間に適合したカラー画像データが、ｓＲＧＢ色空間に適合したカラー画像データに変換される。つまり、マトリクスＭａｓ、γテーブルγａｓおよび色差マトリクスＣａｓは、ＡｄｏｂｅＲＧＢ色空間に適合したカラー画像を、ｓＲＧＢ色空間に適合したカラー画像に変換するためのパラメータとなる。そして画像処理回路ＧＰにて生成されるｓＲＧＢ色空間の画像データは、リサイザー回路２１９をスルーして、経路Ｄｉｓｐに沿って出力され、ｓＲＧＢ色空間の画像が背面ＬＣＤ１０またはＥＶＦ２０に表示される（アフタービュー表示）。
【００６４】
そしてアフタービュー表示中にユーザが画像の削除を指示した場合のみ、ＲＡＭ２２１ａ内に一時的に格納された本画像データが消去される。
【００６５】
一方、アフタービュー表示中にユーザが画像の削除指示を行わなかった場合には、アフタービュー表示に使用された画像データ（すなわち、ＡｄｏｂｅＲＧＢ色空間からｓＲＧＢ色空間に変換された画像データ）は、そのまま画像圧縮部２６１に与えられて、圧縮され、サムネイル画像データとされる。そして、サムネイル画像データは、本画像データとともに、メモリカード８に記録される。
【００６６】
メモリカード８への記録時には、図５に示すように、撮影条件が記述されたタグ情報２０１と、ユーザによる色空間設定（ＡｄｏｂｅＲＧＢ色空間）に適合した本画像データ２０２と、専ら画像再生のために用いられるｓＲＧＢ色空間に適合したサムネイル画像データ２０３とが含まれる画像ファイル２００が生成されて記録される。そしてユーザの色空間設定がＡｄｏｂｅＲＧＢ色空間である場合には、タグ情報２０１に色空間設定がＡｄｏｂｅＲＧＢ色空間であることが記録される。
【００６７】
＜１−５．画像再生時の動作について＞
画像再生時には、ユーザが十字キー等を操作することによって選択された画像ファイルのサムネイル画像データが経路ＰＬＹに沿って出力され、画像伸長部２６２にて伸長される。サムネイル画像データは、先述の通り、ｓＲＧＢ色空間に適合した状態でメモリカード８に記録されているため、それを画像伸長部２６２において伸長しても色空間は変化しない。
【００６８】
そして画像伸長部２６２において伸長された画像データは、再度、色変換マトリクス回路２０８に入力する。このとき、リニアマトリクス２０９、γテーブル２１１，色差マトリクス２１３はそれぞれ、Ｍｓｓ、γｓｓ、Ｃｓｓにセットされ、ｓＲＧＢ色空間に適合したカラー画像データが、ｓＲＧＢ色空間に適合したカラー画像データに変換される。つまり、リニアマトリクスＭｓｓ、γテーブルγｓｓおよび色差マトリクスＣｓｓは、実質的に色変換を行わないパラメータである。言い換えれば、このとき画像処理回路ＧＰにおいては実質的に何も処理を施さず、リサイザー回路２１９をスルーして、そのまま背面ＬＣＤ１０またはＥＶＦ２０に対して出力される。
【００６９】
この結果、背面ＬＣＤ１０またはＥＶＦ２０では、表示特性（色再現範囲）に適合した画像が再生表示され、メモリカード８に記録されている画像がどのような色味で記録されているかを正確に把握することが可能である。
【００７０】
以上のように、本実施形態のデジタルカメラ１は、画像を表示するための表示デバイスを備えて構成され、操作部２５０によって、撮像センサ３０３から得られる画像の色空間を選択操作することが可能である。そして画像処理回路ＧＰでは、操作部２５０を介して選択された色空間に適合させて色変換処理が施されて本画像が生成され、メモリカード８に対して本画像を圧縮記録することができるように構成されている。またこれに対して、画像処理回路ＧＰは、背面ＬＣＤ１０やＥＶＦ２０等の表示デバイスに表示される画像に対しては、ユーザによって選択された色空間に適合させる色変換処理（すなわち、本画像に対して実行される色変換処理）を行わず、表示デバイスの表示特性に合致した色空間に適合させるような色変換処理を行うように構成される。
【００７１】
このため、デジタルカメラ１は、撮影目的に応じた色再現範囲の設定を可能としつつも、画像表示を行う際には表示デバイスに適した色再現を行うことが可能である。
【００７２】
また、表示用の画像に対して行われる色変換処理は、操作部２５０によって選択可能な色空間のうち、最も広い色空間（例えば、ＡｄｏｂｅＲＧＢ色空間）よりも、狭い範囲の色空間（例えば、ｓＲＧＢ色空間）に適合させて行われることになり、表示用の画像においては汎用的な色空間が再現されることになる。
【００７３】
また、背面ＬＣＤ１０やＥＶＦ２０等の表示デバイスに表示される画像は、撮像センサ３０３から得られる画像のサムネイル画像として、メモリカード８に記録される画像であるため、メモリカード８に記録された画像を再生表示する際に、デジタルカメラ１の表示デバイスに最適な色再現が可能となり、撮影結果の確認を適切に行うことが可能である。
【００７４】
また、背面ＬＣＤ１０やＥＶＦ２０等の表示デバイスに表示される画像は、撮影前の確認のためのプレビュー画像（ライブビュー画像）であるため、撮影前の状態において画像を表示する際にデジタルカメラ１の表示デバイスに最適な色再現が可能となる。このため、撮影前に被写体の色味の確認を容易に行うことができる。
【００７５】
また、背面ＬＣＤ１０やＥＶＦ２０等の表示デバイスに表示される画像は、撮影後の確認のためのアフタービュー画像でもあるため、撮影によって得られた画像を表示する際にデジタルカメラ１の表示デバイスに最適な色再現が可能となる。このため、撮影直後に撮影結果の確認を適切に行うことができる。
【００７６】
また、画像処理回路ＧＰは、操作部２５０から選択された色空間に適合させて色変換処理を施すことによって、レリーズ操作に応答した記録用の本画像を生成した後、本画像を縮小した画像に対し、表示デバイスの表示特性に合致した色空間に適合させて色変換処理を施すように構成される。このため、本画像とは異なる色空間を示す表示用の画像が、本画像生成に連動して生成されることになる。よって、画像再生時には、色変換処理を行う必要がなくなるので、処理の高速化を図ることができる。
【００７７】
また、画像処理回路ＧＰは、本画像を縮小した画像であって、本画像とは異なる色空間の画像を生成する際には、本画像を生成する際に適用された色変換処理用のパラメータを、表示デバイスの表示特性に合致した色空間に適合させるためのパラメータに変更して色変換処理を行うように構成されている。換言すれば、画像処理回路ＧＰは、本画像に対する色変換処理と、本画像とは異なる色空間の画像を生成するための色空間処理との双方を行うように構成されており、回路の共通化が図られている。このため、それぞれの色空間の画像を生成するために処理回路を個別に設ける場合と比較すると、回路規模の小規模化を図ることができ、コスト低廉及び省電力化を図ることができる。
【００７８】
以上、本実施形態では主として、デジタルカメラ１に設けられた表示デバイスに画像表示を行う場合を説明したが、表示切替部２３５に対して外部表示装置を接続可能なように構成し、その外部表示装置に対してもサムネイル画像を表示するように構成してもよい。この場合、サムネイル画像に対して行われる色変換処理は、操作部２５０で選択設定可能な色空間のうち、最も広い色空間（例えば、ＡｄｏｂｅＲＧＢ色空間）よりも、狭い範囲の色空間（例えば、ｓＲＧＢ色空間）に適合させて行われることになる。つまり、サムネイル画像を外部表示装置に対して表示する場合には、より汎用的な色空間が再現されるので、著しく色味が異なった画像が表示されることを防止することができる。
【００７９】
＜２．第２の実施の形態＞
次に、第２の実施の形態について説明する。上記第１の実施の形態では、デジタルカメラ１にて画像の撮影を行うとともに画像記録を行う場合であって、デジタルカメラ１の内部にて色変換処理を行う場合を例示した。しかし、デジタルカメラ１が撮像センサ３０３で撮影された画像をそのまま外部機器に出力し、外部機器側で色変換処理を行って画像記録等を行うことも可能である。そこで、本実施形態では、外部機器がデジタルカメラから画像を入力し、その入力画像に対して色変換処理を行う場合を例示する。
【００８０】
図６は、本実施形態における画像記録システムの構成を示す図であり、パーソナルコンピュータ等で構成される画像記録装置６と、デジタルカメラ６９とがケーブル６８を介して電気的に接続された構成となっている。なお、ケーブル６８は、有線または無線のネットワークを含んでいてもよい。
【００８１】
デジタルカメラ６９は、第１の実施の形態で示したものとほぼ同様の構成であるが、画像処理回路ＧＰにおける色変換処理は行われず、撮像センサ３０３から得られる画像はそのままケーブル６８を介して画像記録装置６に出力されるように構成されている。
【００８２】
画像記録装置６は、内部にＣＰＵやメモリ等が設けられた処理部６２と、画像を表示するための表示部６１と、ユーザが操作入力を行うためのキーボードやマウス等の操作部６３とを備えて構成される。処理部６２にはデジタルカメラ６９に接続されるケーブル６８が装着され、処理部６２において、デジタルカメラ６９より入力する画像データに対して各種データ処理が施される。
【００８３】
また、処理部６２には、第１の実施の形態にて説明したデジタルカメラ１と等価なデータ処理機能を達成させるためのプログラムがインストールされており、処理部６２内部のＣＰＵがそのプログラムを実行することによって、デジタルカメラ６９から入力する画像に対して色変換処理等のデータ処理が行われる。
【００８４】
なお、上記プログラムはＣＤ−ＲＯＭ等の記録媒体６５に格納されており、処理部６２が記録媒体６５に格納されたプログラムを読み取ってインストールを行うようにしてもしてもよいし、記録媒体６５に格納されたプログラムを読み取って、インストールを行うことなく、直接的に実行するようにしてもよい。
【００８５】
上記のように構成された画像記録システムでは、画像記録装置６からデジタルカメラ６９に対して撮影指示を与えることができ、画像記録装置６はデジタルカメラ６９から得られる画像に対して色変換処理等のデータ処理を施すように構成される。
【００８６】
図７ないし図９は、画像記録装置６の動作を示すフローチャートである。まず、画像記録装置６に電源が投入され、上記プログラムの起動が行われると、表示部６１に対してメニュー画面が表示される（ステップＳ１）。このメニュー画面には、「設定」、「撮影」、「再生」、「終了」等の選択項目が表示され、ユーザは操作部６３を介してこのうち一の項目を選択する操作を行う（ステップＳ２）。
【００８７】
メニュー画面において「設定」項目が選択された場合（ステップＳ３にてＹＥＳ）、処理部６２はユーザの選択操作に基づいて色空間の選択設定を行う（ステップＳ７）。ここでの色空間の設定は、キャプチャーした画像データを処理部６２において記録する際の色空間の設定である。このとき設定された色空間に関する情報は、処理部６２内のメモリ等に一時的に記録される。
【００８８】
そして色空間の設定が終了すると、再びメニュー画面の表示に戻ることになる（ステップＳ１）。
【００８９】
メニュー画面において「撮影」項目が選択された場合（ステップＳ４にてＹＥＳ）、画像記録装置６は撮影処理（ステップＳ８）を行う。この撮影処理の詳細は図８に示すフローチャートである。撮影処理が開始すると、処理部６２はまず、画像記録の際に適用される色空間設定がＡｄｏｂｅＲＧＢ色空間であるか否かを判断する（ステップＳ８１）。そして色空間設定がＡｄｏｂｅＲＧＢ色空間である場合には、表示用画像の色空間設定をｓＲＧＢ色空間に変更するためのパラメータをセットし（ステップＳ８２）、撮影前のプレビュー画像となる画像表示を行う（ステップＳ８３）。これに対し、色空間設定がＡｄｏｂｅＲＧＢ色空間でない場合には、色空間設定が既にｓＲＧＢ色空間に設定されていると考えられることから、色空間の変更を行わず、その状態のままで撮影前のプレビュー画像となる画像表示を行う（ステップＳ８３）。
【００９０】
この画像表示処理（ステップＳ８３）では、処理部６２からデジタルカメラ６９に対してライブビュー撮影を繰り返し行うように指示が出され、撮影前の被写体画像が動画状に表示される。このとき、表示部６１の表示特性に最適なｓＲＧＢ色空間の画像が表示されるので、ユーザはプレビュー状態において被写体画像の色味を正確に把握することができる。
【００９１】
そしてユーザが操作部６３より撮影指示を与えると、処理部６２はデジタルカメラ６９に対してキャプチャー指示を与える（ステップＳ８４）。なお、撮影指示が与えられるまで、ライブビューのための画像表示処理（ステップＳ８３）が繰り返し実行される。
【００９２】
キャプチャー指示が与えられると、次に処理部６２は、画像記録の際に適用される色空間設定がＡｄｏｂｅＲＧＢ色空間であるか否かを判断する（ステップＳ８５）。そして色空間設定がＡｄｏｂｅＲＧＢ色空間である場合には、記録用画像の色空間設定をＡｄｏｂｅＲＧＢ色空間とするためのパラメータをセットする（ステップＳ８７）。これに対し、色空間設定がＡｄｏｂｅＲＧＢ色空間でない場合には、色空間設定がｓＲＧＢ色空間に設定されていると考えられることから、記録用画像の色空間設定をｓＲＧＢ色空間とするためのパラメータをセットする（ステップＳ８６）。
【００９３】
そしてキャプチャー指示に応答してデジタルカメラ６９から得られる画像データに対して、ステップＳ８６又はＳ８７でセットしたパラメータを適用して色変換処理を施した後、適宜画像圧縮等を行って、処理部６２内部に設けられる磁気ディスク装置等に対して画像記録を行う（ステップＳ８８）。なお、記録処理の詳細は、第１の実施の形態で説明したものと同様であり、本画像とともに、サムネイル画像およびタグ情報が含まれた画像ファイルが作成され、サムネイル画像はｓＲＧＢ色空間に適合するような色変換が行われて記録される。
【００９４】
これにより、画像記録装置６では、撮影目的に応じた色再現範囲の設定を可能にしつつも、表示部６１に画像表示を行う際には表示デバイスに適した色再現が行われるようになっている。
【００９５】
次に、メニュー画面において「再生」項目が選択された場合（ステップＳ５にてＹＥＳ）、画像記録装置６は再生処理（ステップＳ９）を行う。この再生処理の詳細は図９に示すフローチャートである。再生処理が開始すると、処理部６２はまず、サムネイル画像の再生か、本画像の再生かを判別する（ステップＳ９１）。この判別はユーザの操作内容に基づいて行われ、ユーザがサムネイル画像の再生を指示した場合には、ＹＥＳと判断される。
【００９６】
ユーザがサムネイル画像の再生を指示した場合には、ステップＳ９２に進み、本画像とともに記録されているサムネイル画像が読み出されて、表示部６１への表示処理が行われる。サムネイル画像はｓＲＧＢ色空間で記録されているため、表示部６１の表示特性に合致した色空間で画像表示が行われることになる。なお、ステップＳ９２においては、表示部６１に対して複数のサムネイル画像を一覧形式で表示するようにしてもよい。
【００９７】
次に、ユーザが本画像の再生を指示した場合には、ステップＳ９３に進み、再生対象となる本画像がＡｄｏｂｅＲＧＢ色空間で記録されているか否かを判断する（ステップＳ９３）。処理部６２は、再生対象となる画像ファイルのタグ情報を参照することにより、本画像の色空間を判別することができる。
【００９８】
そして色空間設定がＡｄｏｂｅＲＧＢ色空間である場合には、本画像の色空間設定をｓＲＧＢ色空間に変更するためのパラメータをセットする（ステップＳ９４）。例えば、第１の実施の形態で説明した、リニアマトリクス、γテーブル、色差マトリクスのそれぞれを、Ｍａｓ、γａｓ、Ｃａｓにセットすることで、ＡｄｏｂｅＲＧＢ色空間に適合したカラー画像データを、ｓＲＧＢ色空間に適合したカラー画像データに変換するのである。
【００９９】
そしてｓＲＧＢ色空間に変換された本画像を表示部６１に対して表示することで、処理部６２に記録された本画像の画像再生を行う（ステップＳ９５）。
【０１００】
これに対し、ステップＳ９３において本画像の色空間がｓＲＧＢ色空間である場合には（ステップＳ９３にてＮＯ）、そのまま画像表示処理（ステップＳ９５）が行われて、本画像の再生表示が行われる。
【０１０１】
なお、画像表示処理（ステップＳ９５）では、必要に応じて画像データのリサイズを行うようにしても構わない。
【０１０２】
次に、メニュー画面において「終了」項目が選択された場合（ステップＳ６にてＹＥＳ）、画像記録装置６における処理は終了する。
【０１０３】
以上のように、本実施形態の画像記録装置６は、デジタルカメラ１を接続可能に構成され、デジタルカメラ１から得られる画像を表示可能な表示部６１を備えている。そして、処理部６２では、デジタルカメラ１から得られる画像に対し、ユーザの選択操作によって色空間に適合させた色変換処理が施され、その結果得られる画像が記録されるように構成される。また、処理部６２では、表示部６１に表示される画像に対しては、操作部６３を介して選択された色空間に適合させず、表示部６１の表示特性に合致した色空間に適合させて色変換処理が施される。このため、画像記録装置６において、画像を記録する際にはその目的に応じて色再現範囲を変更することを可能としつつも、画像表示を行う際には表示デバイスに適した色再現を行うことができる。
【０１０４】
＜３．変形例＞
以上、本発明の実施の形態について説明したが、本発明は上述した内容に限定されるものではなく、種々の変形例が適用可能である。
【０１０５】
例えば、上記説明においては、カラー画像に対する色空間設定として、ＡｄｏｂｅＲＧＢ色空間とｓＲＧＢ色空間との２種類の色空間が設定可能な場合を例示したが、この種類はさらに多くても構わない。また、本発明で規定される色空間は、ＡｄｏｂｅＲＧＢ色空間とｓＲＧＢ色空間との間の関係に限られるものではなく、将来定義されるであろう新たな色空間に対しても適用可能であることは勿論である。
【０１０６】
また、上記説明においては、撮像装置としてデジタルカメラを例示したが、これに限定されるものでもなく、撮像機能付き携帯電話機等のようなその他の撮像装置であっても構わない。
【０１０７】
なお、上述した内容には、以下の発明概念が含まれる。
【０１０８】
（１）　請求項２に記載の撮像装置において、外部表示装置が接続可能であり、前記サムネイル画像が前記外部表示装置に対しても表示される場合、前記サムネイル画像に対して行われる色変換処理は、前記操作手段で選択設定可能な色空間のうち、最も広い色空間よりも狭い範囲の色空間に適合させて行われることを特徴とする撮像装置。
【０１０９】
これにより、サムネイル画像を外部表示装置に対して表示する場合には、より汎用的な色空間が再現されるので、著しく色味が異なった画像が表示されることを防止することができる。
【０１１０】
（２）　請求項１に記載の撮像装置において、前記画像処理手段は、前記操作手段によって選択された色空間に適合させて色変換処理を施すことによって本画像を生成した後、前記本画像を縮小した画像に対し、前記表示手段の表示特性に合致した色空間に適合させて色変換処理を施すことを特徴とする撮像装置。
【０１１１】
これにより、本画像とは異なる色空間を示す表示用の画像が、本画像生成に連動して生成されることになり、画像再生時には、色変換処理を行う必要がなくなるので、処理の高速化を図ることができる。
【０１１２】
（３）　上記（２）に記載の撮像装置において、前記画像処理手段は、前記本画像を縮小した画像であって、前記本画像とは異なる色空間の画像を生成する際には、前記本画像を生成する際に適用された色変換処理用のパラメータを、前記表示手段の表示特性に合致した色空間に適合させるためのパラメータに変更することを特徴とすることを特徴とする撮像装置。
【０１１３】
これにより、画像処理手段が、本画像に対する色変換処理と、本画像とは異なる色空間の画像を生成するための色空間処理との双方を行うように構成され、回路の共通化が図られる。このため、それぞれの色空間の画像を生成するために処理回路を個別に設ける場合と比較すると、回路規模の小規模化を図ることができ、コスト低廉及び省電力化を図ることができる。
【０１１４】
（４）　請求項１に記載の撮像装置において、前記表示手段に表示される画像は、撮影後の確認のためのアフタービュー画像であることを特徴とする撮像装置。
【０１１５】
これにより、撮影によって得られた画像を表示する際に撮像装置の表示手段に最適な色再現が可能となる。このため、撮影直後に撮影結果の確認を適切に行うことができる。
【０１１６】
【発明の効果】
以上説明したように、請求項１に記載の発明によれば、撮像手段によって得られる画像の色空間を操作手段によって選択された色空間に適合させるように色変換処理を施し、その色変換処理が施された画像を記録するように構成され、表示手段に表示される画像に対しては、操作手段によって選択された色空間に適合させず、表示手段の表示特性に合致した色空間に適合させて色変換処理を施すように構成される。このため、撮像装置は、撮影目的に応じて色再現範囲を設定することができるとともに、画像表示を行う際には表示手段に適した色再現を行うことが可能である。
【０１１７】
請求項２に記載の発明によれば、表示手段に表示される画像が、撮像手段から得られる画像のサムネイル画像として、記録手段に記録される画像であるため、記録手段に記録された画像を再生表示する際には、撮像装置の表示手段に最適な色再現が可能となり、撮影結果の確認を適切に行うことが可能である。
【０１１８】
請求項３に記載の発明によれば、表示手段に表示される画像が、撮影前の確認のためのプレビュー画像であるため、撮影前の状態において画像を表示する際、表示手段に最適な色再現が可能となる。このため、撮影前に被写体の色味の確認を容易に行うことができる。
【０１１９】
請求項４に記載の発明によれば、撮像装置から得られる画像の色空間を、操作手段によって選択された色空間に適合させて色変換処理を施し、その色変換処理が施された画像を記録するように構成されており、表示手段に表示される画像に対しては、操作手段によって選択された色空間に適合させず、表示手段の表示特性に合致した色空間に適合させて色変換処理を施すように構成されるため、画像記録装置は、撮影目的に応じて色再現範囲を設定することができるとともに、画像表示を行う際には表示手段に適した色再現を行うことが可能である。
【０１２０】
請求項５に記載の発明によれば、撮影目的に応じて色再現範囲を設定することができるとともに、画像表示を行う際には表示手段に適した色再現を行うことが可能なコンピュータを実現することができる。
【図面の簡単な説明】
【図１】第１の実施の形態にかかるデジタルカメラの正面図である。
【図２】デジタルカメラの上面図である。
【図３】デジタルカメラの背面図である。
【図４】デジタルカメラの機能ブロックを示す図である。
【図５】メモリカードに記録される画像ファイルの概念を示す図である。
【図６】第２の実施の形態にかかる画像記録システムの構成を示す図である。
【図７】画像記録装置の動作を示すフローチャートである。
【図８】画像記録装置の動作を示すフローチャートである。
【図９】画像記録装置の動作を示すフローチャートである。
【図１０】一般的なｘｙ色度図である。
【図１１】色空間に関する設定メニュー画面の一例を示す図である。
【符号の説明】
１，６９　デジタルカメラ（撮像装置）
６　画像記録装置
８　メモリカード（記録手段）
１０　背面ＬＣＤ（表示手段）
２０　ＥＶＦ（表示手段）
２０９　リニアマトリクス
２２１　γテーブル
２１３　色差マトリクス
２２１　全体制御部
２２１ａ　ＲＡＭ
２２１ｂ　ＲＯＭ
２５０　操作部（操作手段）
ＧＰ　画像処理回路（画像処理手段）
【図１】
2004096400.tif 000003
【図２】
2004096400.tif 000004
【図３】
2004096400.tif 000005
【図４】
2004096400.tif 000006
【図５】
2004096400.tif 000007
【図６】
2004096400.tif 000008
【図７】
2004096400.tif 000009
【図８】
2004096400.tif 000010
【図９】
2004096400.tif 000011
【図１０】
2004096400.tif 000012
【図１１】
2004096400.tif 000013